(57)【要約】【課題】障子の開閉操作性を確保しつつ意匠性の向上を可能とする建具を提供する。【解決手段】建具は、第１面材と第１框を含む第１障子と、第２面材と第２框を含む第２障子と、第１框の第１縦枠部と第２框の第２縦枠部が突き合わされた状態と第１縦枠部と第２縦枠部が離れた状態との間で第１障子及び第２障子のうち少なくとも第２障子が移動可能となるように第１障子及び第２障子を支持する支持機構と、を備える。第１縦枠部は、第１面材の縦縁に取り付けられた第１本体部と、厚み方向において第１面材から離れる側に第１本体部から突出する支持部と、突き合せ状態において厚み方向から見て第２縦枠部を遮蔽するように支持部から第２縦枠部側に延びる遮蔽部と、を含む。遮蔽部の先端部と第２縦枠部との間には指を挿入可能な大きさの隙間が形成されている。遮蔽部の先端部は遮蔽部と第２縦枠部との間の空間に向かって湾曲状に折り返されている。【選択図】図３
2019178544.tif 000002
【特許請求の範囲】
【請求項１】
建築物の壁面に形成された開口部を開閉するための建具であって、
前記開口部に配置される第１面材と、前記第１面材の周縁に取り付けられた第１框と、を含む第１障子と、
前記開口部において前記第１面材と並んで配置される第２面材と、前記第２面材の周縁に取り付けられた第２框と、を含む第２障子と、
前記第１框の第１縦枠部と前記第２框の第２縦枠部とが互いに突き合わされた突き合せ状態と前記第１縦枠部と前記第２縦枠部とが互いに離れた離間状態との間で、前記第１障子及び前記第２障子のうち少なくとも前記第２障子が前記壁面に沿って移動可能となるように、前記第１障子及び前記第２障子を支持する支持機構と、を備え、
前記第１縦枠部は、
前記第１面材における前記第２面材側の縦縁に取り付けられ、前記第２縦枠部に突き合わされる第１本体部と、
前記第１縦枠部と前記第２縦枠部との突き合せラインよりも前記第１面材側に位置し、前記第１面材に垂直な厚み方向において前記第１面材から離れる側に前記第１本体部から突出する支持部と、
前記突き合せ状態において前記厚み方向から見て前記第２縦枠部を遮蔽するように、前記第１障子及び前記第２障子の移動方向において前記支持部から前記第２縦枠部側に延びる遮蔽部と、を含み、
前記遮蔽部の先端部と前記第２縦枠部との間には、指を挿入可能な大きさの隙間が形成されており、
前記遮蔽部の先端部は、前記遮蔽部と前記第２縦枠部との間の空間に向かって湾曲状に折り返されていることを特徴とする、建具。
【請求項２】
前記遮蔽部の先端部と前記第２縦枠部との間の隙間は、前記第１面材及び前記第２面材の厚みよりも大きいことを特徴とする、請求項１に記載の建具。
【請求項３】
前記遮蔽部は、
前記支持部に接続される基端部と、
前記移動方向において前記基端部から前記第２縦枠部側に延びると共に、前記基端部よりも厚みが小さい前記先端部と、を有することを特徴とする、請求項１または２に記載の建具。
【請求項４】
前記遮蔽部は、前記第１縦枠部に沿って延びる閉断面形状を前記第１本体部及び前記支持部と共に構成し、
前記閉断面形状の断面積が、前記移動方向において前記第２面材に近づくに従って前記厚み方向において前記第２面材から離れる方向に狭まるように構成されていることを特徴とする、請求項１〜３のいずれか１項に記載の建具。
【請求項５】
前記第１縦枠部は、
前記閉断面形状の一部を構成する壁部であって、前記厚み方向において前記第１面材から離れる側に前記第１本体部から突出する第１壁部と、
前記閉断面形状の一部を構成する壁部であって、前記移動方向において前記第１壁部の先端部から前記第２縦枠部側に延びる第２壁部と、
前記閉断面形状の一部を構成する壁部であって、前記第２壁部の先端部と基端部との間の位置から、前記厚み方向において前記第１面材に近づく側に延びる第３壁部と、
前記閉断面形状の一部を構成すると共に前記第３壁部に接続された壁部であって、前記閉断面形状の断面積を前記第２面材に近づくに従って狭めるように前記厚み方向に対して傾斜する第４壁部と、
前記閉断面形状の一部を構成する壁部であって、前記第４壁部と前記第１本体部とを接続する第５壁部と、を有することを特徴とする、請求項４に記載の建具。
【請求項６】
前記第３壁部と前記第４壁部とは、前記第２面材側を向くように配置されると共に、曲面部を介して接続されていることを特徴とする、請求項５に記載の建具。
【請求項７】
前記第２縦枠部は、
前記第２面材における前記第１面材側の縦縁に取り付けられ、前記第１縦枠部に突き合わされる第２本体部と、
前記厚み方向において前記第２面材から離れる側に前記第２本体部から立ち上がった指掛け部と、を含み、
前記遮蔽部の先端部と前記指掛け部との間の前記厚み方向の隙間は、前記指掛け部と前記第５壁部との間の前記移動方向の隙間よりも大きいことを特徴とする、請求項５または６に記載の建具。
【請求項８】
前記遮蔽部の先端部は、前記移動方向に延びる第１平面と、前記厚み方向に延びる第２平面と、前記第１平面と前記第２平面とを接続する湾曲面と、を含むことを特徴とする、請求項１〜７のいずれか１項に記載の建具。
【発明の詳細な説明】
【技術分野】
【０００１】
本発明は、建具に関する。
【背景技術】
【０００２】
従来、特許文献１に開示されるように、建築物の壁面に形成された開口部を開閉するための建具が知られている。この建具は、ガラスなどの面材及び当該面材の縁部に取り付けられた框からなる複数の障子と、当該障子を壁面に沿って移動可能に支持する支持機構と、を備えるものである。ユーザーは、手で框を掴み、障子を壁面に沿ってスライドさせることにより、開口部の開閉操作を行うことができる。
【０００３】
特許文献１には、４枚建てのアルミサッシ窓が開示されている。このアルミサッシ窓は、中央の一対の障子の框同士を互いに突き合わせることにより開口部を閉じた状態において、一方の框により他方の框が遮蔽される構造となっている。
【先行技術文献】
【特許文献】
【０００４】
【特許文献１】実用新案登録第３１７３１６１号公報
【発明の概要】
【発明が解決しようとする課題】
【０００５】
特許文献１の建具では、一方の框によって他方の框を覆い隠すことにより意匠性の向上が図られている反面、ユーザーが障子の開閉操作を行いにくいという問題がある。すなわち、一方の框によって他方の框を遮蔽することにより、遮蔽された側の框をユーザーが掴みにくくなる。したがって、従来の建具は、意匠性と開閉操作性を両立させることができないという課題を有する。
【０００６】
本発明は、上記課題に鑑みてなされたものであり、その目的は、障子の開閉操作性を確保しつつ意匠性の向上を可能とする建具を提供することである。
【課題を解決するための手段】
【０００７】
本発明の一局面に係る建具は、建築物の壁面に形成された開口部を開閉するためのものである。この建具は、前記開口部に配置される第１面材と、前記第１面材の周縁に取り付けられた第１框と、を含む第１障子と、前記開口部において前記第１面材と並んで配置される第２面材と、前記第２面材の周縁に取り付けられた第２框と、を含む第２障子と、前記第１框の第１縦枠部と前記第２框の第２縦枠部とが互いに突き合わされた突き合せ状態と前記第１縦枠部と前記第２縦枠部とが互いに離れた離間状態との間で、前記第１障子及び前記第２障子のうち少なくとも前記第２障子が前記壁面に沿って移動可能となるように、前記第１障子及び前記第２障子を支持する支持機構と、を備える。前記第１縦枠部は、前記第１面材における前記第２面材側の縦縁に取り付けられ、前記第２縦枠部に突き合わされる第１本体部と、前記第１縦枠部と前記第２縦枠部との突き合せラインよりも前記第１面材側に位置し、前記第１面材に垂直な厚み方向において前記第１面材から離れる側に前記第１本体部から突出する支持部と、前記突き合せ状態において前記厚み方向から見て前記第２縦枠部を遮蔽するように、前記第１障子及び前記第２障子の移動方向において前記支持部から前記第２縦枠部側に延びる遮蔽部と、を含む。前記遮蔽部の先端部と前記第２縦枠部との間には、指を挿入可能な大きさの隙間が形成されている。前記遮蔽部の先端部は、前記遮蔽部と前記第２縦枠部との間の空間に向かって湾曲状に折り返されている。
【０００８】
この建具によれば、第１縦枠部と第２縦枠部との突き合せ状態において、第１縦枠部の遮蔽部により第２縦枠部を遮蔽することができる。これにより、当該突き合せ状態において第２縦枠部を覆い隠すことが可能となり、建具の意匠性を向上させることができる。しかも、遮蔽部の先端部と第２縦枠部との間に指を挿入可能な大きさの隙間が形成されているため、ユーザーは当該隙間から指を入れることにより第１縦枠部及び第２縦枠部を容易に掴むことができる。このため、第２縦枠部が遮蔽された構成においても第２障子の開閉操作性を確保することができ、また第１障子も移動可能である場合には当該第１障子の開閉操作性も確保することができる。さらに、遮蔽部の先端部を当該遮蔽部と第２縦枠部との間の空間に向かって湾曲状に折り返すことにより、第１障子が移動可能である場合には、ユーザーが第１障子の開操作を行う際に指の痛みを軽減することができる。またこのような折り返し形状は、押し出し成形により造りやすいという利点もある。
【０００９】
ここで、「指を挿入可能な大きさの隙間」とは、例えば１９ｍｍ以上である。また面材の厚みにもよるが、前記遮蔽部の先端部と前記第２縦枠部との間の隙間を、前記第１面材及び前記第２面材の厚みよりも大きくすることにより、指を挿入可能な大きさの隙間を形成することができる。
【００１０】
上記建具において、前記遮蔽部は、前記支持部に接続される基端部と、前記移動方向において前記基端部から前記第２縦枠部側に延びると共に、前記基端部よりも厚みが小さい前記先端部と、を有していてもよい。
【００１１】
この構成によれば、遮蔽部の先端部と第２縦枠部との間の隙間を維持しつつ、支持部と基端部との接続部分における強度を確保することができる。また突き合せラインの第２障子側に指の当たり面を作ることができる。これにより、第１障子が移動可能である場合には、ユーザーが第１障子を開けるときの力を確実に伝えることができる。
【００１２】
上記建具において、前記遮蔽部は、前記第１縦枠部に沿って延びる閉断面形状を前記第１本体部及び前記支持部と共に構成していてもよい。上記建具は、前記閉断面形状の断面積が、前記移動方向において前記第２面材に近づくに従って前記厚み方向において前記第２面材から離れる方向に狭まるように構成されていてもよい。
【００１３】
この構成によれば、閉断面形状により第１縦枠部の曲げ強度をより高めることができる。しかも、当該閉断面形状の断面積を第２面材に近づくに従って第２面材から離れる方向に狭めることにより、第１縦枠部の曲げ強度を確保しつつ第２縦枠部を掴むための空間を広く確保することができる。
【００１４】
上記建具において、前記第１縦枠部は、前記閉断面形状の一部を構成する壁部であって、前記厚み方向において前記第１面材から離れる側に前記第１本体部から突出する第１壁部と、前記閉断面形状の一部を構成する壁部であって、前記移動方向において前記第１壁部の先端部から前記第２縦枠部側に延びる第２壁部と、前記閉断面形状の一部を構成する壁部であって、前記第２壁部の先端部と基端部との間の位置から、前記厚み方向において前記第１面材に近づく側に延びる第３壁部と、前記閉断面形状の一部を構成すると共に前記第３壁部に接続された壁部であって、前記閉断面形状の断面積を前記第２面材に近づくに従って狭めるように前記厚み方向に対して傾斜する第４壁部と、前記閉断面形状の一部を構成する壁部であって、前記第４壁部と前記第１本体部とを接続する第５壁部と、を有していてもよい。
【００１５】
この構成によれば、第２面材に近づくに従って第２面材から離れる方向に狭まる閉断面形状を第１〜第５壁部により構成することができる。これにより、ユーザーは、指を移動方向においてより奥まで（第１面材側まで）挿入することが可能になる。
【００１６】
上記建具において、前記第３壁部と前記第４壁部とは、前記第２面材側を向くように配置されると共に、曲面部を介して接続されていてもよい。
【００１７】
この構成によれば、互いに異なる方向に延びる第３壁部と第４壁部との間に曲面部が存在するため、ユーザーが第１障子又は第２障子の開閉操作を行う際に、第３壁部と第４壁部の接続部分に指が当たった場合でも、指の痛みを軽減することができる。
【００１８】
上記建具において、前記第２縦枠部は、前記第２面材における前記第１面材側の縦縁に取り付けられ、前記第１縦枠部に突き合わされる第２本体部と、前記厚み方向において前記第２面材から離れる側に前記第２本体部から立ち上がった指掛け部と、を含んでいてもよい。前記遮蔽部の先端部と前記指掛け部との間の前記厚み方向の隙間は、前記指掛け部と前記第５壁部との間の前記移動方向の隙間よりも大きくなっていてもよい。
【００１９】
この構成によれば、ユーザーが指掛け部を超えて奥側（第５壁部側）に指を挿入するために、遮蔽部の先端部と指掛け部との間の隙間において斜め方向に指を挿入することができる。このため、第２障子の開閉操作において、ユーザーは、指掛け部に指を容易に掛けることができる。
【００２０】
上記建具において、前記遮蔽部の先端部は、前記移動方向に延びる第１平面と、前記厚み方向に延びる第２平面と、前記第１平面と前記第２平面とを接続する湾曲面と、を含んでいてもよい。
【００２１】
この構成によれば、第１障子が移動可能である場合において、ユーザーが遮蔽部の先端部を掴んで第１障子の開操作を行う際に、指の痛みを軽減することができる。
【発明の効果】
【００２２】
以上の説明から明らかなように、本発明によれば、障子の開閉操作性を確保しつつ意匠性の向上を可能とする建具を提供することができる。
【図面の簡単な説明】
【００２３】
【図１】本発明の実施形態に係る建具の構成を模式的に示す正面図である。
【図２】上記建具の構成を模式的に示す平面図である。
【図３】図２中の領域ＩＩＩにおける断面図である。
【発明を実施するための形態】
【００２４】
以下、図面に基づいて、本発明の実施形態に係る建具を詳細に説明する。
【００２５】
まず、本実施形態に係る建具１の構成を図１〜図３を参照して説明する。本実施形態に係る建具１は、建築物の壁面Ｗ１に形成された開口部ＯＰ１を開閉するためのものである。具体的には、建具１は、壁面Ｗ１の開口部ＯＰ１に取り付けられたサッシ窓であって、屋内側の空間と屋外側の空間とを互いに仕切っている。図１は、屋内側から屋外側に向かって建具１を正面視したときの構成を示している。以下、建具１の上下方向及び左右方向は、図１に準じるものとする。
【００２６】
建具１は、４枚建てのサッシ窓であって、第１障子１０と、第２障子２０と、第３障子３０と、第４障子４０と、第１〜第４障子１０〜４０が壁面Ｗ１に沿って移動可能となるように当該第１〜第４障子１０〜４０を支持する支持機構５０と、を備える。図１に示すように、開口部ＯＰ１は、水平方向に長い矩形状を有する。第１〜第４障子１０〜４０は、開口部ＯＰ１の縦幅とほぼ同じ縦幅を有し、且つ開口部ＯＰ１の横幅よりも小さい横幅（開口部ＯＰ１の横幅の約１／４）を有する。このため、４枚の障子（第１〜第４障子１０〜４０）により開口部ＯＰ１の全体を覆うことができる。
【００２７】
第１障子１０は、開口部ＯＰ１に配置される第１面材１１と、第１面材１１の周縁に取り付けられた第１框１２と、を有する。第１面材１１は、上下方向に長い矩形状を有する。図３に示すように、第１面材１１は、互いに間隔を空けて配置された一対のガラス板１１Ｂと、当該一対のガラス板１１Ｂの間に配置されるスペーサ１１Ａと、により構成されている。
【００２８】
図１に示すように、第１框１２は、第１面材１１の上縁に沿って取り付けられた第１上枠部１５と、第１面材１１の下縁に沿って取り付けられた第１下枠部１７と、第１面材１１の右縁及び左縁に沿ってそれぞれ取り付けられた一対の第１縦枠部１６と、を有する。第１上枠部１５、第１下枠部１７及び第１縦枠部１６は、例えばアルミニウム製の長尺なフレームにより構成されているが、特に限定されない。
【００２９】
第２障子２０は、基本的に第１障子１０と同様に構成されている。すなわち、第２障子２０は、開口部ＯＰ１において第１面材１１と並んで配置される第２面材２１と、第２面材２１の周縁に取り付けられた第２框２２と、を有する。第２面材２１は、第１面材１１と同じ大きさで且つ上下方向に長い矩形状を有する。図３に示すように、第２面材２１は、互いに間隔を空けて配置された一対のガラス板２１Ｂと、当該一対のガラス板２１Ｂの間に配置されるスペーサ２１Ａと、により構成されている。
【００３０】
図１に示すように、第２框２２は、第２面材２１の上縁に沿って取り付けられた第２上枠部２５と、第２面材２１の下縁に沿って取り付けられた第２下枠部２７と、第２面材２１の右縁及び左縁に沿ってそれぞれ取り付けられた一対の第２縦枠部２６と、を有する。第２上枠部２５、第２下枠部２７及び第２縦枠部２６は、例えばアルミニウム製の長尺なフレームにより構成されているが、特に限定されない。
【００３１】
図２に示すように、第１障子１０及び第２障子２０は、第１面材１１の右縁に取り付けられた第１縦枠部１６と第２面材２１の左縁に取り付けられた第２縦枠部２６とが対向するように、水平方向に延びる同一の直線Ｌ１上にそれぞれ配置されている。第１障子１０及び第２障子２０は、後に詳述する支持機構５０により、第１縦枠部１６と第２縦枠部２６とが互いに突き合わされた突き合せ状態（図２）と、第１縦枠部１６と第２縦枠部２６とが互いに離れた離間状態との間で、直線Ｌ１に沿って移動可能とされている。また第１面材１１の右縁に取り付けられた第１縦枠部１６は屋外側に張り出しており、一方で第１面材１１の左縁に取り付けられた第１縦枠部１６及び第２面材２１の左右両縁に取り付けられた第２縦枠部２６は屋内側に張り出している。
【００３２】
第３障子３０は、基本的に第１障子１０と同様に構成されている。すなわち、第３障子３０は、開口部ＯＰ１に配置される第３面材３１と、第３面材３１の周縁に取り付けられた第３框３２と、を有する。第３面材３１は、第１面材１１と同じ大きさで且つ上下方向に長い矩形状を有し、例えばガラス板により構成されている。
【００３３】
図１に示すように、第３框３２は、第３面材３１の上縁に沿って取り付けられた第３上枠部３５と、第３面材３１の下縁に沿って取り付けられた第３下枠部３７と、第３面材３１の右縁及び左縁に沿ってそれぞれ取り付けられた一対の第３縦枠部３６と、を有する。第３上枠部３５、第３下枠部３７及び第３縦枠部３６は、例えばアルミニウム製の長尺なフレームにより構成されているが、特に限定されない。
【００３４】
第４障子４０は、基本的に第１障子１０と同様に構成されている。すなわち、第４障子４０は、開口部ＯＰ１に配置される第４面材４１と、第４面材４１の周縁に取り付けられた第４框４２と、を有する。第４面材４１は、第１面材１１と同じ大きさで且つ上下方向に長い矩形状を有し、例えばガラス板により構成されている。
【００３５】
図１に示すように、第４框４２は、第４面材４１の上縁に沿って取り付けられた第４上枠部４５と、第４面材４１の下縁に沿って取り付けられた第４下枠部４７と、第４面材４１の右縁及び左縁に沿ってそれぞれ取り付けられた一対の第４縦枠部４６と、を有する。第４上枠部４５、第４下枠部４７及び第４縦枠部４６は、例えばアルミニウム製の長尺なフレームにより構成されているが、特に限定されない。
【００３６】
図２に示すように、第３障子３０及び第４障子４０は、第３面材３１の右縁に取り付けられた第３縦枠部３６と第４面材４１の左縁に取り付けられた第４縦枠部４６とが対向するように、水平方向に延びる同一の直線Ｌ２上にそれぞれ配置されている。この直線Ｌ２は、上記した直線Ｌ１よりも屋外側に位置している。つまり、第３障子３０及び第４障子４０は、第１障子１０及び第２障子２０よりも屋外側に配置されている。
【００３７】
また図２に示すように、第１〜第４障子１０〜４０により開口部ＯＰ１が閉じられた状態において、第３面材３１の右縁に取り付けられた第３縦枠部３６は第１面材１１の左縁に取り付けられた第１縦枠部１６に対して面材の厚み方向（建築物の内外方向）に重なっており、また第４面材４１の左縁に取り付けられた第４縦枠部４６は第２面材２１の右縁に取り付けられた第２縦枠部２６に対して厚み方向に重なっている。
【００３８】
支持機構５０は、第１縦枠部１６と第２縦枠部２６とが互いに突き合わされた突き合せ状態と第１縦枠部１６と第２縦枠部２６とが互いに離れた離間状態との間で、第１障子１０及び第２障子２０の両方が壁面Ｗ１に沿って移動可能となるように、第１障子１０及び第２障子２０を支持するものである。具体的には、支持機構５０は、開口部ＯＰ１を規定する上縁及び下縁に沿ってそれぞれ取り付けられた上下一対のレール９１，９２により構成されている。なお、第１障子１０及び第２障子２０のうち少なくとも第２障子２０が移動可能であればよく、第１障子１０及び第２障子２０の両方が移動可能である場合に限定されない。
【００３９】
第１障子１０及び第２障子２０の上端部は、上側のレール９１に形成された溝に嵌め込まれており、一方で第１障子１０及び第２障子２０の下端部は、下側のレール９２に形成された溝に嵌め込まれている。第１障子１０及び第２障子２０は、レール９１，９２の溝に沿って水平方向にスライドすることにより、突き合せ状態と離間状態との間で移動可能となっている。また第３障子３０及び第４障子４０も、第１障子１０及び第２障子２０と同様に、上端部及び下端部がそれぞれレール溝に嵌め込まれており、当該レール溝に沿って水平方向にスライド可能とされている。
【００４０】
ここで、建具１による開口部ＯＰ１の開閉について図２を参照して説明する。まず、屋内側から第１障子１０の開閉操作を行う場合には、ユーザーは、第１面材１１の左縁に取り付けられた第１縦枠部１６を掴んで第１障子１０をスライドさせる。また屋内側から第２障子２０の開閉操作を行う場合には、ユーザーは、第２面材２１の左縁もしくは右縁に取り付けられた第２縦枠部２６を掴んで第２障子２０をスライドさせる。そして、屋外側から第１障子１０の開閉操作を行う場合には、ユーザーは、第１面材１１の右縁に取り付けられた第１縦枠部１６を掴んで第１障子１０をスライドさせる。
【００４１】
一方、屋外側から第２障子２０の開閉操作を行う場合、第２面材２１の左縁に取り付けられた第２縦枠部２６が第１面材１１の右縁に取り付けられた第１縦枠部１６と厚み方向に重なっているため、当該第２縦枠部２６を掴めるようにするための工夫が必要となる。そこで、本実施形態に係る建具１は、第１縦枠部１６の形状を改良することにより、屋外側からでも第２縦枠部２６を容易に掴むことができるように構成されている。以下、第１縦枠部１６の構成について詳細に説明する。
【００４２】
図３は、図２中の領域ＩＩＩにおける断面図である。図３において、第１縦枠部１６と第２縦枠部２６との突き合せラインが直線Ｌ３により示されている。
【００４３】
図３に示すように、第１縦枠部１６は、第１面材１１に取り付けられた第１本体部５１と、直線Ｌ３よりも第１面材１１側に位置し、第１面材１１に垂直な厚み方向において第１面材１１から離れる側（屋外側）に第１本体部５１から突出する第１支持部５２と、第１障子１０及び第２障子２０の移動方向において第１支持部５２から第２縦枠部２６側に延びる第１遮蔽部５３と、を有する。また第２縦枠部２６は、第２面材２１に取り付けられた第２本体部７１と、直線Ｌ３よりも第２面材２１側に位置し、厚み方向において第２面材２１から離れる側（屋内側）に第２本体部７１から突出する第２支持部７２と、移動方向において第２支持部７２から第１縦枠部１６側に延びる第２遮蔽部７３と、厚み方向において第２面材２１から離れる側（屋外側）に第２本体部７１から立ち上がった指掛け部７４と、を有する。指掛け部７４は、第２本体部７１に対して垂直に立ち上がっており、例えば１０ｍｍ程度の高さを有する。
【００４４】
第１本体部５１は、第１面材１１における第２面材２１側の縦縁（右縁）に取り付けられ、第２縦枠部２６に突き合わされている。具体的には、図３に示すように、第１本体部５１は、第１面材１１の右縁が挿入される断面Ｃ字状の挿入部５１Ａと、挿入部５１Ａから第２縦枠部２６側に向かって突出する突出片５１Ｂと、を有する。挿入部５１Ａの溝内には、第１面材１１を保持するためのゴム製のパッキン５４が収容されている。
【００４５】
第１支持部５２は、第１本体部５１に接続され、第１本体部５１から屋外側に張り出している。第１遮蔽部５３は、直線Ｌ３よりも第２面材２１側に位置し、突き合せ状態において厚み方向の屋外側から見て第２縦枠部２６を遮蔽するように、第１支持部５２から第２縦枠部２６側に延びている。具体的には、第１遮蔽部５３は、第１支持部５２に接続される基端部５５と、移動方向において基端部５５から第２縦枠部２６側に延びる先端部５６と、を有する。図３に示すように、第１遮蔽部５３は、第２本体部７１の屋外側を向く見付け面７１Ｄの全体を遮蔽している。また先端部５６は、指掛け部７４とほぼ面一となるように延びている。
【００４６】
第２本体部７１は、第２面材２１における第１面材１１側の縦縁（左縁）に取り付けられ、第１縦枠部１６に突き合わされている。具体的には、第２本体部７１は、第２面材２１の左縁が挿入される断面Ｃ字状の挿入部７１Ｃと、突出片５１Ｂを受け入れる部分であって挿入部７１Ｃと反対向きに開口する受入部７１Ａと、を有する。
【００４７】
図３に示すように、挿入部７１Ｃの溝内には、第２面材２１を保持するためのゴム製のパッキン７６が収容されている。また受入部７１Ａの溝内には、突出片５１Ｂを保持するためのゴム製の保持部材７５が収容されている。保持部材７５は、例えば上下方向の数か所に配置されている。このように、突出片５１Ｂを受入部７１Ａに挿入して保持部材７５によって保持することにより、第１障子１０及び第２障子２０を突き合せ状態で互いに固定することができる。
【００４８】
第２遮蔽部７３は、直線Ｌ３よりも第１面材１１側に位置し、突き合せ状態において厚み方向の屋内側から見て第１縦枠部１６を遮蔽するように、第２支持部７２から第１縦枠部１６側に延びている。具体的には、第２遮蔽部７３は、第１本体部５１の屋内側を向く見付け面５１Ｃの全体を遮蔽している。なお、第２遮蔽部７３は、本発明の建具において必須ではなく、省略されてもよい。
【００４９】
第１遮蔽部５３の先端部５６と第２縦枠部２６（指掛け部７４）との間には、ユーザーが指を挿入可能な大きさの隙間Ｄ１が形成されている。本実施形態において、隙間Ｄ１は、第１面材１１及び第２面材２１の厚みよりも大きく、第１遮蔽部５３の先端部５６の厚みＴ２よりも大きくなっている。より具体的には、隙間Ｄ１は、１９ｍｍ以上が好ましく、例えば２２〜２３ｍｍ程度である。また図３に示すように、隙間Ｄ１は、第１遮蔽部５３と第２本体部７１との間の空間Ｓ１を第２面材２１側に開放する開口部である。
【００５０】
この構成によれば、ユーザーは、隙間Ｄ１から空間Ｓ１内に指を入れ、指掛け部７４に指を容易に掛けることができる。また先端部５６にも指を容易に掛けることができる。したがって、本実施形態に係る建具１によれば、第１遮蔽部５３によって第２縦枠部２６の見付け面７１Ｄを遮蔽して意匠性を向上させることができると共に、屋外側からでも第１障子１０及び第２障子２０の開閉操作を容易に行うことができる。
【００５１】
なお、隙間Ｄ１は、第１面材１１及び第２面材２１の厚みよりも大きい場合に限定されない。当該隙間Ｄ１は、第１面材１１及び第２面材２１の厚みと同じであってもよいし、それ以下であってもよい。
【００５２】
図３の右上に拡大して示すように、第１遮蔽部５３の先端部５６は、移動方向に平行に延びる第１平面５６Ａと、厚み方向に平行に延びる第２平面５６Ｂと、第１平面５６Ａと第２平面５６Ｂとを接続する湾曲面５６Ｃと、を含む。第１平面５６Ａは屋外側を向く面であり、第２平面５６Ｂは第２面材２１側を向く面である。また先端部５６は、空間Ｓ１に向かって湾曲状に折り返されている（折り返し部５６Ｄ）。この折り返し部５６Ｄは、第２平面５６Ｂから厚み方向の面材側及び移動方向の第１障子１０側に延びる湾曲面を有する。なお、折り返し部５６Ｄの曲率半径は、湾曲面５６Ｃの曲率半径と同じであってもよいが、これに限定されない。
【００５３】
このような先端形状を採用することにより、ユーザーが先端部５６に指を掛けて第１障子１０の開操作を行う際に、指の痛みを軽減することができる。しかし、湾曲面５６Ｃは本発明の建具において必須ではなく、省略されてもよい。
【００５４】
図３に示すように、基端部５５の厚みＴ１は第１支持部５２の厚みとほぼ同じであり、先端部５６の厚みＴ２は基端部５５の厚みＴ１よりも小さくなっている。これにより、先端部５６と指掛け部７４との間の隙間Ｄ１を確保しつつ、第１支持部５２と基端部５５との接続部分における強度を確保することができる。なお、本発明の建具は、先端部５６の厚みＴ２が基端部５５の厚みＴ１よりも小さい場合に限定されず、例えば先端部５６の厚みＴ２と基端部５５の厚みＴ１とが同じであってもよい。
【００５５】
第１遮蔽部５３（基端部５５）は、第１縦枠部１６に沿って延びる閉断面形状Ｃ１を、第１本体部５１及び第１支持部５２と共に構成している。この閉断面形状Ｃ１により、第１縦枠部１６の曲げ強度を高めることができる。また図３に示すように、閉断面形状Ｃ１の断面積は、移動方向において第２面材２１に近づくに従って厚み方向において第２面材２１から離れる方向に狭まっている。これにより、第１縦枠部１６の曲げ強度を確保しつつ第２縦枠部２６を掴むための空間Ｓ１を広く確保することができる。
【００５６】
第１縦枠部１６は、厚み方向において第１面材１１から離れる側（屋外側）に第１本体部５１から突出する第１壁部６１と、移動方向において第１壁部６１の先端部から第２縦枠部２６側に延びる第２壁部６２と、第２壁部６２の先端部と基端部との間の位置Ｐ１から厚み方向において第１面材１１に近づく側（屋内側）に延びる第３壁部６３と、第３壁部６３に接続されると共に厚み方向に対して傾斜する第４壁部６４と、第４壁部６４と第１本体部５１とを接続する第５壁部６５と、を有する。第１壁部６１及び第３壁部６３は厚み方向に平行に延びており、第２壁部６２は移動方向に平行に延びている。図３に示すように、閉断面形状Ｃ１は、第１〜第５壁部６１〜６５により中空状に構成されており、第４壁部６４の傾斜に応じて断面積が第２面材２１側に向かって第２面材２１から離れる向きに狭まっている。
【００５７】
第１支持部５２は、第１壁部６１と、第２壁部６２における直線Ｌ３よりも第１面材１１側の部分と、第５壁部６５における直線Ｌ３よりも第１面材１１側の部分と、により構成されている。基端部５５は、第２壁部６２における直線Ｌ３から位置Ｐ１までの部分と、第３壁部６３と、第４壁部６４と、第５壁部６５における直線Ｌ３よりも第２面材２１側の部分と、により構成されている。先端部５６は、第２壁部６２における位置Ｐ１よりも第２面材２１側の部分により構成されている。
【００５８】
隙間Ｄ１は、指掛け部７４と第５壁部６５との間の移動方向の隙間Ｄ２よりも大きくなっている。これにより、ユーザーが指掛け部７４を超えて奥側に指を挿入するために、隙間Ｄ１において斜め方向に指を挿入することができる。しかし、本発明の建具は、隙間Ｄ１が隙間Ｄ２よりも大きい場合に限定されない。
【００５９】
図３に示すように、第３壁部６３と第４壁部６４とは、第２面材２１側（隙間Ｄ１側）を向くように配置されており、且つ、空間Ｓ１側に凸の曲面部６３Ａを介して互いに接続されている。これにより、互いに異なる方向に延びる第３壁部６３と第４壁部６４との間に曲面部６３Ａが存在するため、ユーザーが第１障子１０又は第２障子２０の開閉操作を行う際に、第３壁部６３と第４壁部６４の接続部分に指が当たった場合でも、指の痛みを軽減することができる。
【００６０】
しかし、曲面部６３Ａは、本発明の建具において必須ではなく、省略されてもよい。また曲面部６３Ａは、厚み方向において指掛け部７４の先端部よりも第２面材２１から離れる側（屋外側）に位置しているが、これに限定されない。
【００６１】
上記した本実施形態に係る建具１は、以下の特徴を備えるものである。すなわち、建具１は、建築物の壁面Ｗ１に形成された開口部ＯＰ１を開閉するためのものであって、開口部ＯＰ１に配置される第１面材１１と、第１面材１１の周縁に取り付けられた第１框１２と、を含む第１障子１０と、開口部ＯＰ１において第１面材１１と並んで配置される第２面材２１と、第２面材２１の周縁に取り付けられた第２框２２と、を含む第２障子２０と、第１框１２の第１縦枠部１６と第２框２２の第２縦枠部２６とが互いに突き合わされた突き合せ状態と第１縦枠部１６と第２縦枠部２６とが互いに離れた離間状態との間で、第１障子１０及び第２障子２０が壁面Ｗ１に沿って移動可能となるように、第１障子１０及び第２障子２０を支持する支持機構５０と、を備える。第１縦枠部１６は、第１面材１１における第２面材２１側の縦縁に取り付けられ、第２縦枠部２６に突き合わされる第１本体部５１と、第１縦枠部１６と第２縦枠部２６との突き合せラインよりも第１面材１１側に位置し、第１面材１１に垂直な厚み方向において第１面材１１から離れる側に第１本体部５１から突出する第１支持部５２と、突き合せ状態において厚み方向から見て第２縦枠部２６を遮蔽するように、第１障子１０及び第２障子２０の移動方向において第１支持部５２から第２縦枠部２６側に延びる第１遮蔽部５３と、を含む。第１遮蔽部５３の先端部５６と第２縦枠部２６との間には、指を挿入可能な大きさの隙間Ｄ１が形成されている。第１遮蔽部５３の先端部５６は、第１遮蔽部５３と第２縦枠部２６との間の空間Ｓ１に向かって湾曲状に折り返されている。
【００６２】
この建具１によれば、第１縦枠部１６と第２縦枠部２６との突き合せ状態において、第１縦枠部１６の第１遮蔽部５３により第２縦枠部２６を遮蔽することができる。これにより、当該突き合せ状態において第２縦枠部２６を覆い隠すことが可能となり、建具１の意匠性を向上させることができる。しかも、第１遮蔽部５３の先端部５６と第２縦枠部２６との間に指を挿入可能な大きさの隙間Ｄ１が形成されているため、ユーザーは隙間Ｄ１から指を入れることにより第１縦枠部１６及び第２縦枠部２６を容易に掴むことができる。このため、第２縦枠部２６が遮蔽された構成においても、第１障子１０及び第２障子２０の開閉操作性を確保することができる。さらに、先端部５６を空間Ｓ１に向かって湾曲状に折り返すことにより、ユーザーが第１障子１０の開操作を行う際に指の痛みを軽減することができる。またこのような折り返し形状は、押し出し成形により造りやすい。
【００６３】
（その他実施形態）
最後に、本発明のその他実施形態について説明する。
【００６４】
上記実施形態では、第１縦枠部１６（右側）が屋外側に張り出すと共に第２縦枠部２６（左側）が屋内側に張り出す場合について説明したがこれに限定されず、屋内と屋外とを反転させてもよい。
【００６５】
上記実施形態では、４枚の障子を備えた建具１を説明したが、障子の枚数はこれに限定されず、同一の支持機構（レール）上に２枚以上の障子を備えた建具においても本発明の建具を適用することができる。例えば、外壁の外側にある同一のレール上に配置された２枚の障子を備え、当該２枚の障子によって外壁の開口部全体を開閉する建具において、本発明の建具が適用されてもよい。また、外壁の開口部内の同一レール上に配置された２枚の障子を備える建具であって、当該２枚の障子のうち一方（第１障子）が外壁に嵌め込まれて移動できないもの（はめころし）であると共に他方（第２障子）がレール上を移動可能であり、当該第２障子に隣接すると共に第１及び第２障子が配置されるレールとは異なるレール上において移動可能である１枚の障子をさらに備えた建具において、本発明の建具が適用されてもよい。
【００６６】
上記実施形態では、第３障子３０及び第４障子４０が壁面Ｗ１に沿って移動可能である場合を説明したがこれに限定されず、第３障子３０及び第４障子４０の位置が固定されていてもよい。
【００６７】
今回開示された実施形態は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００６８】
１  建具
１０  第１障子
１１  第１面材
１２  第１框
１６  第１縦枠部
２０  第２障子
２１  第２面材
２２  第２框
２６  第２縦枠部
５０  支持機構
５１  第１本体部
５２  第１支持部（支持部）
５３  第１遮蔽部（遮蔽部）
５５  基端部
５６  先端部
５６Ａ  第１平面
５６Ｂ  第２平面
５６Ｃ  湾曲面
５６Ｄ  折り返し部
６１  第１壁部
６２  第２壁部
６３  第３壁部
６３Ａ  曲面部
６４  第４壁部
６５  第５壁部
７１  第２本体部
７４  指掛け部
Ｃ１  閉断面形状
Ｄ１  隙間
Ｄ２  隙間
ＯＰ１  開口部
Ｓ１  空間
Ｗ１  壁面
【図１】
2019178544.tif 000003
【図２】
2019178544.tif 000004
【図３】
2019178544.tif 000005